(57)【要約】【課題】  ディスク装置の長寿命化が図られた機器を提供する。【解決手段】  電源スイッチの操作により電力の遮断が指示された際にカウント値が所定値未満であると判定されている場合には、電源部から機器内部へ分配される電力をＨＤＤを含めて遮断させ、電源スイッチの操作により電力の遮断が指示された際にカウント値が所定値以上であると判定されている場合には、電源部から機器内部の一部への電力供給を遮断するものの少なくともＨＤＤへの電力の供給は継続させる電力制御部を備えた。【選択図】        図２（ａ）
2008059630.tif 000002
【特許請求の範囲】
【請求項１】
記憶媒体であるディスク、および、該ディスク上に進出して該ディスクとの間でデータの読み書きを行うロード位置と、該ロード位置から離間したアンロード位置との間で移動するヘッドを有するディスク装置を備えた機器において、
前記ディスク装置が、少なくとも該ディスク装置への電力の供給が開始される毎に、前記ヘッドを前記アンロード位置から前記ロード位置へ移動させ、少なくとも該ディスク装置へ供給されていた電力が遮断される毎に、前記ヘッドを前記ロード位置から前記アンロード位置へ移動させるものであって、
該機器が設置されてからの、前記ロード位置と前記アンロード位置との間での前記ヘッドの通算の移動回数をカウントするカウンタと、
前記カウンタにおけるカウント値が、予め設定された所定値以上か否かを判定する判定部と、
外部から電力の供給を受け、供給された電力を前記ディスク装置を含めた機器内部に分配する電源部と、
前記電源部からの前記ディスク装置を含めた該機器内部への電力の供給およびその遮断を指示する際に操作される電源スイッチと、
前記電源スイッチの操作により電力の遮断が指示された際に前記判定部により前記カウント値が前記所定値未満であると判定されている場合には、前記電源部から該機器内部へ分配される電力を前記ディスク装置を含めて遮断させ、前記電源スイッチの操作により電力の遮断が指示された際に前記判定部により前記カウント値が前記所定値以上であると判定されている場合には、前記電源部から該機器内部の一部への電力供給を遮断するものの少なくとも前記ディスク装置への電力の供給は継続させる電力制御部とを備えたことを特徴とする機器。
【請求項２】
前記ディスク装置を含めた該機器での動作終了後から所定時間経過後も次の動作指示が無い場合に、該ディスク装置を含めた該機器内部の一部への電力供給の遮断を指示する省電力モードと、
前記所定時間を計測するタイマと、
前記省電力モードに移行した際に前記判定部により前記カウント値が前記所定値未満であると判定されている場合には、該ディスク装置を含めた該機器内部の一部への電力供給を遮断させ、前記省電力モードに移行した際に前記判定部により前記カウント値が前記所定値以上であると判定されている場合には、該ディスク装置を除く該機器内部の一部への電力供給を遮断するものの少なくとも該ディスク装置への電力の供給は継続させる第２の電力制御部とを備えたことを特徴とする請求項１記載の機器。
【請求項３】
前記判定部により前記カウント値が前記所定値以上であると判定されたことを受けて、前記ディスク装置の交換を要求する交換要求部を備えたことを特徴とする請求項１記載の機器。
【請求項４】
前記ディスク装置の動作を、該ディスク装置との間で送受信する信号に基づいて制御する、前記電源スイッチの操作により電力の遮断が指示された場合若しくは前記省電力モードに移行した場合には、前記判定部による判定結果にかかわらず前記電源部からの電力供給が遮断されるディスク装置制御部と、
前記判定部により前記カウント値が前記所定値以上であると判定された後であって、かつ前記電源スイッチの操作により電力供給の遮断が指示された場合もしくは前記省電力モードに移行した場合には、前記電源スイッチの操作による電力供給が次に指示されるか、もしくは、該省電力モードから該ディスク装置を含めた該機器内部への電力供給を指示する通常モードへ復帰するまで、前記ディスク装置から前記ディスク装置制御部へ送信されてくる信号を遮断する信号遮断部とを備えたことを特徴とする請求項２記載の機器。
【請求項５】
記憶媒体であるディスク、および、該ディスク上に進出して該ディスクとの間でデータの読み書きを行うロード位置と、該ロード位置から離間したアンロード位置との間で移動するヘッドを有するディスク装置を備えた機器において、
前記ディスク装置が、少なくとも該ディスク装置への電力の供給が開始される毎に、前記ヘッドを前記アンロード位置から前記ロード位置へ移動させ、少なくとも該ディスク装置へ供給されていた電力が遮断される毎に、前記ヘッドを前記ロード位置から前記アンロード位置へ移動させるものであって、
該機器が設置されてからの、前記ロード位置と前記アンロード位置との間での前記ヘッドの通算の移動回数をカウントするカウンタと、
前記カウンタにおけるカウント値が、予め設定された所定値以上か否かを判定する判定部と、
外部から電力の供給を受け、供給された電力を前記ディスク装置を含めた機器内部に分配する電源部と、
前記電源部からの前記ディスク装置を含めた該機器内部への電力の供給およびその遮断を指示する際に操作される電源スイッチと、
前記判定部により前記カウント値が前記所定値以上であると判定された後、前記電源スイッチの操作により前記ディスク装置を含めた該機器内部への電力供給の遮断が指示された場合には、前記ディスク装置を含めた該機器内部への電力供給を遮断し、その後も、該判定部により該カウント値が該所定値以上であると判定されている間は該電源スイッチの操作により該ディスク装置を含めた該機器内部への電力供給が指示された場合でも該ディスク装置への電力供給の遮断については継続させる電力制御部とを備えたことを特徴とする機器。
【請求項６】
前記ディスク装置を含めた該機器での動作終了後から所定時間経過後も次の動作指示が無い場合に、該ディスク装置を含めた該機器内部の一部への電力供給の遮断を指示する省電力モードと、
前記所定時間を計測するタイマと、
前記判定部により前記カウント値が前記所定値以上であると判定された後、前記省電力モードに移行したことにより該ディスク装置を含めた該機器内部の一部への電力供給の遮断が指示された場合には、前記ディスク装置を含めた該機器内部の一部への電力供給を遮断し、その後も、前記判定部により前記カウント値が前記所定値以上であると判定されている間は、該省電力モードから該ディスク装置を含めた該機器内部への電力供給を指示する通常モードへの復帰により前記ディスク装置を含めた該機器内部への電力供給が指示された場合でも該ディスク装置への電力供給の遮断については継続させる第２の電力制御部とを備えたことを特徴とする請求項５記載の機器。
【請求項７】
前記電源スイッチの操作により前記ディスク装置を含めた該機器内部への電力供給が指示された場合、もしくは、前記省電力モードから該ディスク装置を含めた該機器内部への電力供給を指示する通常モードへの復帰により前記ディスク装置を含めた該機器内部への電力供給が指示された場合でも、前記ディスク装置への電力供給の遮断が継続されている間は該ディスク装置を使用しない機能のみを提供することを特徴とする請求項６記載の機器。
【発明の詳細な説明】
【技術分野】
【０００１】
本発明は、ディスク装置を備えた機器に関する。
【背景技術】
【０００２】
従来より、画像形成装置のなかには、無駄な電力消費を抑えるため、前回の画像形成から所定時間以上経過しても画像形成指示等がない場合には、一部の電気回路への電力供給の遮断を指示する省電力モードに移行するものがある（例えば、特許文献１参照）。
【０００３】
また、上述した様な省電力モードを有する画像形成装置のなかには、例えば外部から送信されてきた画像データの容量によっては、画像データの一時的な蓄積場所としてディスク装置を用い、省電力モードへの移行によりこのディスク装置への電力供給を遮断して電力消費を抑制するものがある。
【０００４】
ところで、ディスク装置に内蔵された記録媒体であるディスクに対しデータのリードおよびライトを行うヘッドは、ディスク装置への電力供給およびその遮断によっても、所定のアンロード位置とロード位置との間で移動し、ディスク装置メーカーでは、これらアンロード位置とロード位置との間でのヘッドの移動回数について基準移動回数を設定してディスク装置の機能保証の目安としている。
【特許文献１】特開２００４−１５７９６１号公報
【発明の開示】
【発明が解決しようとする課題】
【０００５】
しかしながら、ディスク装置が、省電力モードへの移行時、省電力モードから通常モードへの復帰時、さらには電源スイッチのオンオフ時にもアンロード位置とロード位置との間でヘッドを移動させるものであると、ヘッドの移動回数が基準移動回数を超えている状態では、電源スイッチのオンオフといった通常の操作によってディスク装置の故障発生率が上昇してしまうおそれがあり、ディスク装置が故障してしまうと、ディスク装置からのデータの読み出しが困難になるという問題がある。
【０００６】
尚、上記問題は、画像形成装置に備えられたディスク装置についてのみ発生する問題ではなく、あらゆる機器に備えられたディスク装置について同様に発生する問題である。
【０００７】
本発明は、上記事情に鑑み、ディスク装置の長寿命化が図られた機器を提供することを目的とする。
【課題を解決するための手段】
【０００８】
上記目的を達成するための本発明の機器のうちの第１の機器は、
記憶媒体であるディスク、および、このディスク上に進出してこのディスクとの間でデータの読み書きを行うロード位置と、このロード位置から離間したアンロード位置との間で移動するヘッドを有するディスク装置を備えた機器において、
上記ディスク装置が、少なくともこのディスク装置への電力の供給が開始される毎に、上記ヘッドを上記アンロード位置から上記ロード位置へ移動させ、少なくともこのディスク装置へ供給されていた電力が遮断される毎に、上記ヘッドを上記ロード位置から上記アンロード位置へ移動させるものであって、
この機器が設置されてからの、上記ロード位置と上記アンロード位置との間での上記ヘッドの通算の移動回数をカウントするカウンタと、
上記カウンタにおけるカウント値が、予め設定された所定値以上か否かを判定する判定部と、
外部から電力の供給を受け、供給された電力を上記ディスク装置を含めた機器内部に分配する電源部と、
上記電源部からの上記ディスク装置を含めたこの機器内部への電力の供給およびその遮断を指示する際に操作される電源スイッチと、
上記電源スイッチの操作により電力の遮断が指示された際に上記判定部により上記カウント値が上記所定値未満であると判定されている場合には、上記電源部からこの機器内部へ分配される電力を上記ディスク装置を含めて遮断させ、上記電源スイッチの操作により電力の遮断が指示された際に上記判定部により上記カウント値が上記所定値以上であると判定されている場合には、上記電源部からこの機器内部の一部への電力供給を遮断するものの少なくとも上記ディスク装置への電力の供給は継続させる電力制御部とを備えたことを特徴とする。
【０００９】
ヘッドの通算の移動回数を表す、カウンタでのカウント値が、基準移動回数を越えた状態で、電源スイッチの操作に伴うディスク装置への電力供給もしくはその遮断によりヘッドが移動すると、ディスク装置の故障発生率は急上昇する。そこで、本発明の第１の機器では、カウンタでのカウント値が基準移動回数を越えた状態での電源スイッチの操作に伴うディスク装置への電力供給もしくはその遮断によるヘッドの移動機会を少しでも抑制するために、カウンタでのカウント値が基準移動回数を越えた状態では電源スイッチの操作により電力供給の遮断が指示された場合でもディスク装置への電力供給は継続されるようになっている。したがって、本発明の第１の機器によれば、電源スイッチがオフされることでディスク装置への電力供給を遮断し、電源スイッチがオンされることでディスク装置へ電力を供給する場合と比べてヘッドの移動機会を減らすことができることから、ディスク装置の長寿命化を図ることができる。
【００１０】
ここで、本発明の第１の機器が、上記ディスク装置を含めたこの機器での動作終了後から所定時間経過後も次の動作指示が無い場合に、このディスク装置を含めたこの機器内部の一部への電力供給の遮断を指示する省電力モードと、上記所定時間を計測するタイマと、上記省電力モードに移行した際に上記判定部により上記カウント値が上記所定値未満であると判定されている場合には、このディスク装置を含めたこの機器内部の一部への電力供給を遮断させ、上記省電力モードに移行した際に上記判定部により上記カウント値が上記所定値以上であると判定されている場合には、このディスク装置を除くこの機器内部の一部への電力供給を遮断するものの少なくともこのディスク装置への電力の供給は継続させる第２の電力制御部とを備えたものであることが好ましい。
【００１１】
この様にすると、省電力モードを有していても、ディスク装置の故障発生率の上昇を抑制することができる。
【００１２】
また、本発明の第１の機器が、上記判定部により上記カウント値が上記所定値以上であると判定されたことを受けて、上記ディスク装置の交換を要求する交換要求部を備えたことが好ましい。
【００１３】
この様にディスク装置の交換を促すことで、ディスク装置の故障の発生を未然に防止することができる。
【００１４】
また、本発明の第１の機器が、上記ディスク装置の動作を、このディスク装置との間で送受信する信号に基づいて制御する、上記電源スイッチの操作により電力の遮断が指示された場合若しくは上記省電力モードに移行した場合には、上記判定部による判定結果にかかわらず上記電源部からの電力供給が遮断されるディスク装置制御部と、上記判定部により上記カウント値が上記所定値以上であると判定された後であって、かつ上記電源スイッチの操作により電力供給の遮断が指示された場合もしくは上記省電力モードに移行した場合には、上記電源スイッチの操作による電力供給が次に指示されるか、もしくは、この省電力モードからこのディスク装置を含めたこの機器内部への電力供給を指示する通常モードへ復帰するまで、上記ディスク装置から上記ディスク装置制御部へ送信されてくる信号を遮断する信号遮断部とを備えたものであることが好ましい。
【００１５】
このようにすると、電力供給の遮断が指示されたにもかかわらず電力供給が遮断されていないディスク装置から、電力供給の遮断が指示されたことで電力供給が遮断されているディスク装置制御部への信号の送信により、ディスク装置制御部への電力供給が再開された際の誤作動の発生を未然に防止することができる。
【００１６】
上記目的を達成するための本発明の機器のうちの第２の機器は、
記憶媒体であるディスク、および、このディスク上に進出してこのディスクとの間でデータの読み書きを行うロード位置と、このロード位置から離間したアンロード位置との間で移動するヘッドを有するディスク装置を備えた機器において、
上記ディスク装置が、少なくともこのディスク装置への電力の供給が開始される毎に、上記ヘッドを上記アンロード位置から上記ロード位置へ移動させ、少なくともこのディスク装置へ供給されていた電力が遮断される毎に、上記ヘッドを上記ロード位置から上記アンロード位置へ移動させるものであって、
この機器が設置されてからの、上記ロード位置と上記アンロード位置との間での上記ヘッドの通算の移動回数をカウントするカウンタと、
上記カウンタにおけるカウント値が、予め設定された所定値以上か否かを判定する判定部と、
外部から電力の供給を受け、供給された電力を上記ディスク装置を含めた機器内部に分配する電源部と、
上記電源部からの上記ディスク装置を含めたこの機器内部への電力の供給およびその遮断を指示する際に操作される電源スイッチと、
上記判定部により上記カウント値が上記所定値以上であると判定された後、上記電源スイッチの操作により上記ディスク装置を含めたこの機器内部への電力供給の遮断が指示された場合には、上記ディスク装置を含めたこの機器内部への電力供給を遮断し、その後も、この判定部によりこのカウント値がこの所定値以上であると判定されている間はこの電源スイッチの操作によりこのディスク装置を含めたこの機器内部への電力供給が指示された場合でもこのディスク装置への電力供給の遮断については継続させる電力制御部とを備えたことを特徴とする。
【００１７】
前述したように、ヘッドの通算の移動回数を表す、カウンタでのカウント値が、基準移動回数を越えた状態で、電源スイッチの操作に伴うディスク装置への電力供給もしくはその遮断によりヘッドが移動すると、ディスク装置の故障発生率は急上昇する。そこで、本発明の第２の機器では、カウンタでのカウント値が基準移動回数を越えた状態での電源スイッチの操作に伴うディスク装置への電力供給もしくはその遮断によるヘッドの移動機会を抑制するために、カウンタのカウント値が基準移動回数を越えた状態で電源スイッチの操作により電力供給の遮断が一旦指示された後は、カウンタのカウント値が基準移動回数を越えた状態にある間は例え電源スイッチの操作により電力供給が指示されてもディスク装置への電力供給は遮断されたままにされるようになっている。したがって、本発明の第２の機器によれば、電源スイッチがオフされることでディスク装置への電力供給を遮断し、電源スイッチがオンされることで無条件にディスク装置へ電力を供給する場合と比べてヘッドの移動機会を減らすことができ、ディスク装置の長寿命化を図ることができる。
【００１８】
ここで、本発明の第２の機器が、上記ディスク装置を含めたこの機器での動作終了後から所定時間経過後も次の動作指示が無い場合に、このディスク装置を含めたこの機器内部の一部への電力供給の遮断を指示する省電力モードと、上記所定時間を計測するタイマと、上記判定部により上記カウント値が上記所定値以上であると判定された後、上記省電力モードに移行したことによりこのディスク装置を含めたこの機器内部の一部への電力供給の遮断が指示された場合には、上記ディスク装置を含めたこの機器内部の一部への電力供給を遮断し、その後も、上記判定部により上記カウント値が上記所定値以上であると判定されている間は、この省電力モードからこのディスク装置を含めたこの機器内部への電力供給を指示する通常モードへの復帰により上記ディスク装置を含めたこの機器内部への電力供給が指示された場合でもこのディスク装置への電力供給の遮断については継続させる第２の電力制御部とを備えたものであることが好ましい。
【００１９】
この様にすると、省電力モードを有していても、ディスク装置の故障発生率の上昇を抑制することができる。
【００２０】
また、本発明の第２機器が、上記電源スイッチの操作により上記ディスク装置を含めたこの機器内部への電力供給が指示された場合、もしくは、上記省電力モードからこのディスク装置を含めたこの機器内部への電力供給を指示する通常モードへの復帰により上記ディスク装置を含めたこの機器内部への電力供給が指示された場合でも、上記ディスク装置への電力供給の遮断が継続されている間はこのディスク装置を使用しない機能のみを提供するものであることも好ましい態様である。
【００２１】
この様にすることで、この機器における誤作動の発生を抑制することができる。
【発明の効果】
【００２２】
本発明によれば、ディスク装置の長寿命化が図られた機器を提供することができる。
【発明を実施するための最良の形態】
【００２３】
以下、本発明の実施形態について説明する。
【００２４】
図１は、本発明の第１の機器の一実施形態である情報処理装置の概略構成図である。
【００２５】
図１に示す、本実施形態の情報処理装置１は、本体部１０と、タッチパネルである表示パネル２０と、電源スイッチ３０と、ＨＤＤ（Ｈａｒｄ  Ｄｉｓｃ  Ｄｒｉｖｅ）４０と、電源部５０とで構成されている。
【００２６】
電源部５０は、この情報処理装置１が設置された場所に配備されているコンセントを通じて電力の供給を受けており、この供給された電力を本体部１０とＨＤＤ４０とに供給している。
【００２７】
電源スイッチ３０は、詳しくは後述する電源制御部１０６に接続されており、電源部５０による本体部１０およびＨＤＤ４０への電力の供給の開始あるいはその遮断を指示するためにオペレータによって操作される。
【００２８】
ＨＤＤ４０は、記憶媒体であるディスク、および、このディスクとの間でデータの読み書きを行うロード位置と、このロード位置から離間したアンロード位置との間で移動するヘッドを有するものである。
【００２９】
また、ＨＤＤ４０では、電源部５０からの電力供給が遮断される毎にヘッドがロード位置からアンロード位置へ移動し、電力が供給される毎にヘッドがロード位置からアンロード位置に移動する。
【００３０】
本体部１０は、この情報処理装置１の全体を制御するＣＰＵ１０１、カウンタ１０２、メモリ１０３、ＨＤＤ制御部１０４、ＨＤＤ遮断部１０５、電源制御部１０６、およびタイマ１０７で構成されている。
【００３１】
ＨＤＤ制御部１０４は、ＣＰＵ１０１からの指示により、ディスクからのデータの読み出し、および、ディスクへのデータの書き込みをＨＤＤ４０に指示する。
【００３２】
ここで、ＨＤＤ４０には、動作保証の目安となる、これらロード位置とアンロード位置との間でのヘッドの基準移動回数がＨＤＤメーカーにより設定されており、この値はメモリ１０３に記憶されている。カウンタ１０２は、ＨＤＤ４０のヘッドの通算の移動回数をカウントしている。この情報処理装置１では、カウンタ１０２でのカウント値が基準移動回数を越えると、ＨＤＤ４０の交換を要求するメッセージが表示パネル２０に表示されるようになっている。
【００３３】
この情報処理装置１は、外部から電源部５０に供給されている電力の、本体部１０およびＨＤＤ４０への供給を指示する通常電力モードと、ＨＤＤ４０でのディスクへのアクセス動作を含め、表示パネル２０への操作がなくなってから所定時間以上経過した場合に、ＨＤＤ４０および本体部１０の一部への電力供給の遮断を指示する省電力モードとを有している。タイマ１０７は、ＨＤＤ４０でのディスクへのアクセス動作を含め、表示パネル２０への操作がなくなってからの経過時間を計測しており、基準となる所定時間はメモリ１０３に記憶されている。尚、この情報処理装置１では、省電力モードに移行している場合に例えば表示パネル２０への操作が行われると、即座に通常モードへ移行する。
【００３４】
また、この情報処理装置１では、オペレータが電源スイッチ３０をオフすることにより電源部５０からの本体部１０およびＨＤＤ４０への電力供給の遮断が指示された場合に、カウンタ１０２でのカウント値が基準移動回数未満であると、本体部１０およびＨＤＤ４０への電力供給は全て遮断されるが、カウンタ１０２でのカウント値が基準移動回数以上であると、本体部１０に対する電力供給は遮断されるものの、ＨＤＤ４０に対する電力供給は継続されるようになっている。さらに、この情報処理装置１では、電源部５０からの本体部１０の一部およびＨＤＤ４０への電力供給の遮断を指示する省電力モードに移行した場合にカウンタ１０２でのカウント値が基準移動回数未満であると、本体部１０の一部およびＨＤＤ４０へ電力供給は遮断されるが、カウンタ１０２でのカウント値が基準移動回数以上であると、本体部１０の一部に対する電力供給は遮断されるものの、ＨＤＤ４０に対する電力供給は継続されるようになっている。
【００３５】
つまり、ヘッドの通算の移動回数を表す、カウンタ１０２でのカウント値が基準移動回数を越えた状態で電源スイッチ３０の操作および省電力モードと通常モードとの間でのモード変化に伴うＨＤＤ４０への電力供給もしくはその遮断によりヘッドが移動すると、ＨＤＤ４０の故障発生率は急上昇する。そこで、本実施形態の情報処理装置１では、カウンタ１０２でのカウント値が基準移動回数を越えた状態での電源スイッチの操作や、省電力モードと通常モードとの間でのモード変化に伴うＨＤＤ４０への電力供給もしくはその遮断によるヘッドの移動機会を少しでも抑制するために、カウント値が基準移動回数を越えた状態で、電源スイッチの操作や省電力モードに入ったことにより電力供給の遮断が指示された場合でもＨＤＤ４０への電力供給は継続されるようになっている。したがって、本実施形態の情報処理装置１によれば、電源スイッチ３０の操作や、省電力モードと通常モードとの間でモードが変化することによりＨＤＤへの電力を供給したりこれを遮断する場合と比べてヘッドの移動機会を減らすことができることから、ＨＤＤ４０の長寿命化を図ることができる。尚、上述の制御は、ＣＰＵ１０１からの指示に応じて、電源制御部１０６が電源部５０に対して行う。
【００３６】
また、この情報処理装置１では、例えば電源スイッチ３０がオフされた時にカウンタ１０２でのカウント値が基準移動回数を越えている状態にあっては、上述したように、本体部１０に備えられているＨＤＤ制御部１０４への電力供給が遮断されているもののＨＤＤ４０に対する電力供給が継続される。その際、電力が供給されているＨＤＤ４０から電力供給が遮断されているＨＤＤ制御部１０４へ信号の送信があると、その後電源スイッチ３０がオンされた際ＨＤＤ制御部１０４に誤作動および故障が発生するおそれがある。そこで、この情報処理装置１では、本体部１０に備えられているＨＤＤ制御部１０４への電力供給が遮断されているもののＨＤＤ４０に対する電力供給が継続されている場合には、ＨＤＤ４０からＨＤＤ制御部１０４へ送信された信号はＨＤＤ遮断部１０５によって遮断されるようになっている。
【００３７】
さらに、この情報処理装置１では、カウンタ１０２でのカウント値が基準移動回数を越えると、ＨＤＤ４０の交換を要求するメッセージが表示パネル２０に表示されるようになっており、これにより、ＨＤＤ４０の故障の発生が未然に防止されるようになっている。
【００３８】
図２（ａ）および図２（ｂ）は、本実施形態の情報処理装置において実行されるルーチンのフローチャートである。
【００３９】
図２（ａ）に示すルーチンは、この情報処理装置１の電源スイッチ３０がオンされると実行が開始され、ステップＳ１では、情報処理装置１全体への電力供給を指示する。ステップＳ２では、カウント値が基準移動回数を超えていることでＨＤＤ４０への電力供給の継続が図られていることを表すフラグ３がオンされているか否かを判定する。ステップＳ２においてフラグ３がオンされていないと判定すると、ステップＳ３に進み、この電力供給によりヘッドの移動があることからカウント値をインクリメントし、ステップＳ４に進む。ステップＳ２においてフラグ３がオンされていると判定すると、ステップＳ４に進み、省電力モードに移行するまでの時間を計測するタイマ１０７による計測を一旦リセットした後オンする。ステップＳ５では、タイマ１０７の計測値が所定時間以上か否かを判定し、ステップＳ５において、計測値が所定時間未満であると判定すると、ステップＳ１７に進み、ステップＳ５において、計測値が所定時間以上である、即ち省電力モードへの移行が指示されたと判定すると、ステップＳ６に進み、カウンタ１０２のカウント値の読み出しを行う。ステップＳ７では、読み出したカウント値が基準移動回数以上であるか否かを判定し、ステップＳ７において、カウント値が基準移動回数以上であると判定すると、ステップＳ８に進み、ＨＤＤ４０の交換要求メッセージの表示パネル２０での表示を指示し、ステップＳ９では、ＨＤＤ４０への電力供給を継続しながらＨＤＤ制御部１０４への電力供給を遮断することによる誤作動を防止するためにＨＤＤ遮断部１０５の動作を指示し、ステップＳ１０では、本体部１０の一部およびＨＤＤ４０への電力供給の遮断を指示する省電力モードが指示されているものの、本体部１０の一部への電力供給のみを遮断し、ＨＤＤ４０への電力供給の継続を指示する。ステップＳ１１では、ＨＤＤ４０への電力供給が継続されている省電力モード二移行していることを表すフラグ２をオンし、ステップＳ１２では、省電力モードに移行していることでタイマ１０７をリセットしたままとする。一方、ステップＳ７において、カウント値が基準移動回数未満であると判定すると、ステップＳ１３に進み、本体部１０の一部およびＨＤＤ４０への電力供給の遮断を指示する省電力モードに移行したことで本体部１０の一部およびＨＤＤ４０への電力供給の遮断を指示する。ステップＳ１４では、ＨＤＤ４０への電力供給の遮断によりヘッドが移動することからカウント値をインクリメントする。ステップＳ１５では、本体部１０の一部およびＨＤＤ４０への電力供給が遮断された省電力モードに移行したことを表すフラグ１をオンし、ステップＳ１６では、省電力モードに入っていることでタイマ１０７をリセットしたままとし、ステップＳ１７に進む。ステップＳ１７では、ＨＤＤ４０へのアクセス、または表示パネル２０への操作があったか否かを判定する。ステップＳ１７において、ＨＤＤ４０へのアクセスまたは表示パネル２０への操作ががなかったと判定すると、ステップＳ２６に進み、ステップＳ１７において、ＨＤＤ４０へのアクセスまたは表示パネル２０への操作があったと判定すると、ステップＳ１８に進み、タイマ１０７を一旦リセットした後オンする。ステップＳ１９では、本体部１０の一部およびＨＤＤ４０への電力供給が遮断された省電力モードであることを表すフラグ１がオンされているか否かを判定し、ステップＳ１９においてフラグ１がオンされていると判定すると、ステップＳ２０に進み、本体部の一部およびＨＤＤ４０への電力供給を指示する。ステップＳ２１では、フラグ１をオフし、ステップＳ２２では、ステップＳ２０におけるＨＤＤ４０への電力供給によりヘッドが動いたことからカウンタ１０２のカウント値をインクリメントする。一方、ステップＳ１９において、フラグ１がオンされていないと判定すると、ステップＳ２３に進み、ＨＤＤ４０への電力供給が継続されている省電力モードに移行していることを表すフラグ２がオンされているか否かを判定する。ステップＳ２３において、フラグ２がオンされていないと判定すると、ステップＳ２６に進み、ステップＳ２３において、フラグ２がオンされていると判定すると、ステップＳ２４に進む。ステップＳ２４では、ＨＤＤ４０への電力供給は継続されていることから本体部１０の一部のみへの電力供給を指示する。ステップＳ２５では、フラグ２のオフを指示する。その後、ステップＳ２６に進む。ステップＳ２６では、電源スイッチ３０がオフされたか否かを判定し、ステップＳ２６において、電源スイッチ３０がオフされていないと判定すると、ステップＳ５に戻る。ステップＳ２６において、電源スイッチ３０がオンされていると判定すると、図２（ｂ）に示すステップＳ２７に進み、カウンタ１０２のカウント値を読み出す。ステップＳ２８では、カウント値が基準移動回数以上であるか否かを判定する。ステップＳ２８においてカウント値が基準移動回数未満であると判定すると、ステップＳ２９に進み、フラグ１がオンされているか否かを判定する。ステップＳ２９においてフラグ１がオンされていると判定すると、ステップＳ３０に進み、ＨＤＤ４０への電力供給はすでに遮断されていることからＨＤＤ４０を除く装置全体への電力供給の遮断を指示し、その後、このルーチンを終了する。ステップＳ２９においてフラグ１がオンされていないと判定すると、ステップＳ３１に進み、ＨＤＤ４０を含む装置全体への電力供給の遮断を指示する。ステップＳ３２では、ステップＳ３１でのＨＤＤ４０への電力供給の遮断によりＨＤＤ４０のヘッドが移動したことでカウンタ１０２のカウント値をインクリメントし、その後、このルーチンを終了する。一方、ステップＳ２８において、カウント値が基準移動回数以上であると判定すると、ステップＳ３３に進み、ステップＳ３３では、ＨＤＤ４０の交換要求メッセージの表示を指示する。ステップＳ３４では、フラグ２がオンされているか否かを判定し、ステップＳ３４において、フラグ２がオンされていると判定すると、ステップＳ３６に進む。ステップＳ３４において、フラグ２がオンされていないと判定すると、ステップＳ３５に進み、ＨＤＤ遮断部１０５へ動作を指示し、その後、ステップＳ３６に進む。ステップＳ３６では、ＨＤＤ４０を除く装置全体への電力供給の遮断を指示し、ステップＳ３７では、電源スイッチ３０のオフ後もＨＤＤ４０への電力供給が維持されていることを表すフラグ３をオンし、このルーチンを終了する。尚、以上に説明した実施形態では、ＨＤＤ４０のヘッドの、アンロード位置とロード位置との間の移動回数をＣＰＵ１１に接続したカウンタ１０２でカウントした例を挙げて説明したが、これをＨＤＤ４０に備えるカウンタにおいてカウントしてもよく、また、ＨＤＤ遮断部１０５および省電力モードを有する場合を例に挙げて説明したが、これらを備えていなくても本発明の基本的な効果は減却されない。さらには、カウント値が基準移動回数以上となった場合に、ＨＤＤ４０の交換メッセージを表示パネル２０に表示しないものであってもよい。
【００４０】
次に、本発明の第２の機器の一実施形態について説明する。
【００４１】
本実施形態と、本発明の第１の機器の一実施形態である情報処理装置１との相違点は、情報処理装置１においては、カウンタ１０２のカウント値が基準移動回数以上となった状態では電源スイッチの操作によりあるいは省電力モードに移行することにより電力供給の遮断が指示された場合でもＨＤＤへの電力供給は継続されるようになっているのに対し、本実施形態の情報処理装置では、カウンタのカウント値が基準移動回数以上となった状態で電源スイッチの操作によりあるいは省電力モードに移行することにより電力供給の遮断が指示された場合はディスク装置への電力供給は必ず遮断され、さらには、カウンタのカウント値が基準移動回数以上となった状態にある間は、例え電源スイッチの操作によりあるいは省電力モードから通常モードに復帰したことによりＨＤＤを含むこの情報処理装置全体への電力供給が指示されてもＨＤＤへの電力供給は遮断されたままにされるようになっている点である。
【００４２】
また、本実施形態の情報処理装置では、例えば電源スイッチがオフされた時にカウンタでのカウント値が基準移動回数以上となっていても、本体部に備えられているＨＤＤ制御部への電力供給は遮断されているにもかかわらずＨＤＤに対する電力供給が継続されるということはないため、ＨＤＤ遮断部１０５は備えられていない。図１に示す、本発明の第１の機器の一実施形態である情報処理装置１との構成上の相違点は、本実施形態の情報処理装置ではＨＤＤ遮断部１０５が備えられていない点だけであるので、本実施形態の情報処理装置の概略構成図の図示および説明は省略する。尚、以下では、本実施形態の情報処理装置の部材で図１に示す部材と同じ種類の部材には、図１に付されている符号と同じ符号を用いている。
【００４３】
本実施形態の情報処理装置では、上述したように、カウンタ１０２のカウント値が基準移動回数以上となった状態で電源スイッチ３０の操作によりあるいは省電力モードに移行することにより電力供給の遮断が指示された場合にはＨＤＤ４０への電力供給は必ず遮断され、さらには、カウンタ１０２のカウント値が基準移動回数以上となった状態にある間は、例え電源スイッチ３０の操作によりあるいは省電力モードから通常モードに復帰したことによりＨＤＤ４０を含むこの情報処理装置全体への電力供給が指示されてもＨＤＤ４０への電力供給は遮断されたままにされるようになっている。つまり、この情報処理装置では、ＨＤＤ４０が交換がされるなどして、ヘッドの通算の移動回数が記憶されているカウンタ１０２に記憶されているカウント値が基準移動回数未満にならない限り、このＨＤＤ４０への電力供給は行われないようになっている。したがって、本実施形態の情報処理装置によれば、電源スイッチ３０がオフされることであるいは省電力モードに移行することでＨＤＤ４０への電力供給を遮断し、電源スイッチ３０がオンされることであるいは省電力モードから通常モードに復帰することで無条件にＨＤＤ４０へ電力を供給する場合と比べてヘッドの移動機会を減らすことができ、ＨＤＤ４０の長寿命化を図ることができる。
【００４４】
また、本実施形態の情報処理装置では、ＨＤＤ４０への電力供給の遮断が継続されている間はこのＨＤＤ４０を使用しない機能のみが提供されるようになっており、これにより、この情報処理装置における誤作動の発生が抑制されている。
【００４５】
図３（ａ）および図３（ｂ）は、本実施形態の情報処理装置において実行されるルーチンのフローチャートである。
【００４６】
図３（ａ）に示すルーチンは、この情報処理装置１の電源スイッチ３０がオンされると実行が開始され、ステップＳ５１では、カウンタ１０２のカウント値が基準移動回数以上か否かを判定する。ステップＳ５１において、カウント値が基準移動回数以上であると判定すると、ステップＳ５２に進み、ＨＤＤ４０の交換要求メッセージの表示パネル２０での表示を指示し、ステップＳ５３では、ＨＤＤ４０のカウント値が基準移動回数を超えていることでＨＤＤ４０への電力供給は遮断されていることを表すフラグ３をオンし、ＨＤＤ４０を使用するジョブの実行を禁止する。ステップＳ５４では、ＨＤＤ４０を除く装置全体への電力供給を指示し、その後、ステップＳ５５に進む。ステップＳ５１において、カウンタ１０２のカウント値が基準移動回数未満であると判定すると、ステップＳ５６に進み、ＨＤＤ４０を含む装置全体への電力供給を指示する。ステップＳ５７では、ＨＤＤ４０への電力供給によりヘッドが移動したことでカウンタ１０２のカウント値をインクリメントする。その後、ステップＳ５５に進む。ステップＳ５５では、タイマ１０７を一旦リセットした後オンする。ステップＳ５６では、タイマ１０７での計測時間が所定時間以上であるか否かを判定し、ステップＳ５６において、タイマ１０７での計測時間が所定時間未満であると判定すると、ステップＳ６５に進み、ステップＳ５６において、タイマ１０７での計測時間が所定時間以上である、すなわち本体部１０の一部およびＨＤＤ４０への電力供給の遮断を指示する省電力モードへの移行が指示されていると判定すると、ステップＳ５７に進み、ＨＤＤ４０への電力供給は遮断されていることを表すフラグ３がオンされているか否かを判定する。ステップＳ５７においてフラグ３がオンされていると判定すると、ステップＳ５８に進み、ＨＤＤ４０への電力供給は既に遮断されていることから本体部１０の一部のみへの電力供給の遮断を指示する。ステップＳ５９では、カウント値が基準移動回数を超えた状態で省電力モードに入っていることを表すフラグ１をオンする。ステップＳ６０では、省電力モードに入っていることでタイマ１０７をリセットしたままにし、その後、ステップＳ６５に進む。一方、ステップＳ５７において、フラグ３がオンされていないと判定すると、ステップＳ６１に進み、ステップＳ６１では、本体部１０の一部およびＨＤＤ４０への電力供給の遮断を指示する。ステップＳ６２では、ＨＤＤ４０への電力供給の遮断によるヘッドの移動をカウントするためにカウンタ１０２のカウント値をインクリメントする。ステップＳ６３では、カウント値が基準移動回数を超えていない状態で省電力モードに入っていることを表すフラグ２をオンする。ステップＳ６４では、タイマ１０７をリセットしたままにし、その後、ステップＳ６５に進む。ステップＳ６５では、カウント値が基準移動回数以上であるか否かを判定し、ステップＳ６５において、カウント値が基準移動回数未満であると判定すると、ステップＳ６９に進み、ステップＳ６５において、カウント値が基準移動回数以上であると判定すると、ステップＳ６６に進む。ステップＳ６６では、ＨＤＤ４０の交換要求メッセージの表示パネル２０での表示を指示し、ステップＳ６７では、ＨＤＤ４０のカウント値が基準移動回数以上となっていることで、ＨＤＤ４０への電力供給が遮断されていることを表すフラグ３をオンし、ＨＤＤ４０を使用するジョブの実行禁止を指示する。ステップＳ６８では、ＨＤＤ４０への電力供給を遮断する。ステップＳ６９では、ＨＤＤ４０へのアクセスまたは表示パネル２０への操作があったか否かを判定する。ステップＳ６９において、ＨＤＤ４０へのアクセスまたは表示パネル２０への操作がないと判定すると、ステップＳ７８に進み、ステップＳ６９において、ＨＤＤ４０へのアクセスまたは表示パネル２０への操作があったと判定すると、ステップＳ７０に進み、タイマ１０７を一旦リセットした後オンする。ステップＳ７１では、カウント値が基準移動回数以上となった状態で省電力モードに入っていることを表すフラグ１がオンされているか否かを判定し、ステップＳ７１においてフラグ１がオンされていると判定すると、ステップＳ７２に進み、本体部の一部のみへの電力供給を指示する。ステップＳ７３では、フラグ１をオフし、その後、ステップＳ７８に進む。一方、ステップＳ７１において、フラグ１がオンされていないと判定すると、ステップＳ７４に進み、カウント値が基準移動回数未満の状態で省電力モードに入っていることを表すフラグ２がオンされているか否かを判定する。ステップＳ７４において、フラグ２がオンされていると判定すると、ステップＳ７５に進み、本体部の一部およびＨＤＤ４０への電力供給を指示する。ステップＳ７６では、ＨＤＤ４０への電力供給によりヘッドが移動することからカウント値をインクリメントし、ステップＳ７７では、フラグ２をオフする。また、ステップＳ７４において、フラグ２がオンされていないと判定すると、ステップＳ７８に進む。ステップＳ７８では、電源スイッチ３０がオフされたか否かを判定する。ステップＳ７８において電源スイッチ３０がオフされていないと判定すると、ステップＳ５６に戻り、ステップＳ７８において、電源スイッチ３０がオフされていると判定すると、ステップＳ７９に進み、カウンタ１０２のカウント値を読み出す。図３（ｂ）に示すステップＳ８０では、読み出したカウント値が基準移動回数以上となっているか否かを判定し、ステップＳ８０においてカウント値が基準移動回数未満であると判定すると、ステップＳ８１に進み、フラグ２がオンされているか否かを判定する。ステップＳ８１においてフラグ２がオンされていないと判定すると、ステップＳ８２に進み、ＨＤＤ４０を含む装置全体への電力供給の遮断を指示し、ステップＳ８３では、ＨＤＤ４０への電力供給の遮断に伴うヘッドの移動をカウントするためにカウント値をインクリメントする。その後、ステップＳ８５に進む。ステップＳ８１において、フラグ２がオンされていると判定すると、ステップＳ８４に進み、ＨＤＤ４０への電力供給は既に遮断してあることからＨＤＤ４０を除く装置全体への電力供給を遮断する。その後ステップＳ８５に進む。一方、ステップＳ８０において、カウント値が基準移動回数以上であると判定すると、ステップＳ８６に進みフラグ１がオンされているか否かを判定する。ステップＳ８６において、フラグ１がオンされていないと判定すると、ステップＳ８７に進み、ＨＤＤ４０の交換要求メッセージの表示を指示する。ステップＳ８８では、ＨＤＤ４０を含む装置全体への電力供給の遮断を指示する。ステップＳ８９では、カウント値をインクリメントし、その後、ステップＳ８５に進む。ステップＳ８６において、フラグ１がオンされていると判定すると、ステップＳ９０に進み、ＨＤＤ４０を除く装置全体への電力供給の遮断を指示し、その後ステップＳ８５に進む。ステップＳ８５では、フラグ１、フラグ２、およびフラグ３ンがオフされて、その後、このルーチンを終了する。尚、以上に説明した実施形態では、ＨＤＤ４０のヘッドの、アンロード位置とロード位置との間の移動回数をＣＰＵ１１に接続したカウンタ１０２でカウントした例を挙げて説明したが、これをＨＤＤ４０に備えるカウンタにおいてカウントしてもよく、また省電力モードを有する場合を例に挙げて説明したが、これを備えていなくても本発明の基本的な効果は減却されない。さらには、カウント値が基準移動回数以上となっている場合に、ＨＤＤ４０の交換メッセージを表示パネル２０に表示しなくても、また、カウント値が基準移動回数以上となっていることでＨＤＤ４０への電力供給が遮断されている場合に、このＨＤＤ４０を利用する機能を提供しても、本発明の基本的な効果は減却されない。
【図面の簡単な説明】
【００４７】
【図１】本発明の第１の機器の一実施形態である情報処理装置の概略構成図である。
【図２（ａ）】第１の機器の一実施形態である情報処理装置において実行されるルーチンのフローチャートである。
【図２（ｂ）】第１の機器の一実施形態である情報処理装置において実行されるルーチンのフローチャートである。
【図３（ａ）】第２の機器の一実施形態である情報処理装置において実行されるルーチンのフローチャートである。
【図３（ｂ）】第２の機器の一実施形態である情報処理装置において実行されるルーチンのフローチャートである。
【符号の説明】
【００４８】
１  情報処理装置
１０  本体部
１００  ＢＵＳ
１０１  ＣＰＵ
１０２  カウンタ
１０３  メモリ
１０４  ＨＤＤ制御部
１０５  ＨＤＤ遮断部
１０６  電源制御部
１０７  タイマ
２０  表示パネル
３０  電源スイッチ
４０  ＨＤＤ
５０  電源部
【図１】
2008059630.tif 000003
【図２（ａ）】
2008059630.tif 000004
【図２（ｂ）】
2008059630.tif 000005
【図３（ａ）】
2008059630.tif 000006
【図３（ｂ）】
2008059630.tif 000007